(57)【特許請求の範囲】
【請求項１】
複数の下り単位バンドを使用して通信する無線通信端末装置に対して、前記無線通信端末装置毎にサーチスペースを設定する設定手段と、
前記無線通信端末装置宛ての制御情報が割り当てられるＣＣＥの連結数が閾値以下の場合には、前記制御情報を、前記複数の下り単位バンドのうち１つの下り単位バンドに設定された前記サーチスペース内のＣＣＥに割り当て、前記連結数が前記閾値より多い場合には、前記制御情報を、前記複数の下り単位バンドにそれぞれ設定された前記サーチスペース内のＣＣＥに分散させて割り当てる割当手段と、
を具備する無線通信基地局装置。
【請求項２】
前記割当手段は、前記連結数が前記閾値より多い場合、前記制御情報を、前記複数の下り単位バンドにそれぞれ設定された前記サーチスペース内のＣＣＥに均等に割り当てる、
請求項１記載の無線通信基地局装置。
【請求項３】
前記割当手段は、前記連結数が前記閾値より多い場合、前記制御情報を、前記複数の下り単位バンドにそれぞれ設定された前記サーチスペース内のＣＣＥに、１，２，４，８個のいずれかの前記連結数の単位で分散させて割り当てる、
請求項１記載の無線通信基地局装置。
【請求項４】
前記設定手段は、前記連結数が閾値以下の場合、前記複数の下り単位バンドに渡って前記サーチスペースを設定する、
請求項１記載の無線通信基地局装置。
【請求項５】
前記割当手段は、前記連結数が閾値以下の場合、前記制御情報を、チャネル品質情報に基づいて前記複数の下り単位バンドのうち前記１つの下り単位バンドに設定された前記サーチスペース内のＣＣＥに割り当てる、
請求項４記載の無線通信基地局装置。
【請求項６】
複数の下り単位バンドを使用して通信する無線通信端末装置であって、
自装置のサーチスペースを算出する算出手段と、
自装置宛ての制御情報が割り当てられたＣＣＥの連結数が閾値以下の場合には、前記複数の下り単位バンドのうち１つの下り単位バンドに設定された前記サーチスペース内のＣＣＥをブラインド復号し、前記連結数が前記閾値より多い場合には、前記複数の下り単位バンドにそれぞれ設定された前記サーチスペース内のＣＣＥをブラインド復号することにより、自装置宛ての前記制御情報を得る復号手段と、
を具備する無線通信端末装置。
【請求項７】
複数の下り単位バンドを使用して通信する無線通信端末装置に対して、前記無線通信端末装置毎にサーチスペースを設定し、
前記無線通信端末装置宛ての制御情報が割り当てられるＣＣＥの連結数が閾値以下の場合には、前記制御情報を、前記複数の下り単位バンドのうち１つの下り単位バンドに設定された前記サーチスペース内のＣＣＥに割り当て、前記連結数が前記閾値より多い場合には、前記制御情報を、前記複数の下り単位バンドにそれぞれ設定された前記サーチスペース内のＣＣＥに分散させて割り当てる、
ＣＣＥ割当方法。
【請求項８】
複数の下り単位バンドを使用して通信する無線通信端末装置における制御情報復号方法であって、
前記無線通信端末装置のサーチスペースを算出し、
前記無線通信端末装置宛ての制御情報が割り当てられたＣＣＥの連結数が閾値以下の場合には、前記複数の下り単位バンドのうち１つの下り単位バンドに設定された前記サーチスペース内のＣＣＥをブラインド復号し、前記連結数が前記閾値より多い場合には、前記複数の下り単位バンドにそれぞれ設定された前記サーチスペース内のＣＣＥをブラインド復号することにより、前記無線通信端末装置宛ての前記制御情報を得る、
制御情報復号方法。
【発明の詳細な説明】
【技術分野】
【０００１】
本発明は、無線通信基地局装置、無線通信端末装置およびＣＣＥ割当方法に関する。
【背景技術】
【０００２】
３ＧＰＰ−ＬＴＥ(3rd Generation Partnership Project Radio Access Network Long Term Evolution、以下、ＬＴＥという)では、下り回線の通信方式としてＯＦＤＭＡ（Orthogonal Frequency Division Multiple Access）が採用され、上り回線の通信方式としてＳＣ−ＦＤＭＡ（Single Carrier Frequency Division Multiple Access）が採用されている（例えば、非特許文献１、２、３参照）。
【０００３】
ＬＴＥでは、無線通信基地局装置（以下、基地局と省略する）はシステム帯域内のリソースブロック（Resource Block：ＲＢ）を、サブフレームと呼ばれる時間単位毎に無線通信端末装置（以下、端末と省略する）に割り当てることにより通信を行う。また、基地局は下り回線データおよび上り回線データのリソース割当結果を通知するための制御情報を端末へ送信する。この制御情報は例えばＰＤＣＣＨ（Physical Downlink Control Channel）等の下り回線制御チャネルを用いて端末へ送信される。ここで、各ＰＤＣＣＨは１つまたは連続する複数のＣＣＥ（Control Channel Element）で構成されるリソースを占有する。ＬＴＥでは、ＰＤＣＣＨが占有するＣＣＥ数（ＣＣＥ連結数：CCE aggregation level）は、制御情報の情報ビット数または端末の伝搬路状態に応じて、１，２，４，８の中の１つが選択される。なお、ＬＴＥでは、システム帯域幅として最大２０ＭＨｚの幅を持つ周波数帯域がサポートされる。
【０００４】
また、基地局は１サブフレームに複数の端末を割り当てるため、複数のＰＤＣＣＨを同時に送信する。このとき、基地局は、各ＰＤＣＣＨの送信先の端末を識別するために、送信先の端末ＩＤでマスキング（または、スクランブリング）したＣＲＣビットをＰＤＣＣＨに含めて送信する。そして、端末は、自端末宛ての可能性がある複数のＰＤＣＣＨにおいて、自端末の端末ＩＤでＣＲＣビットをデマスキング（または、デスクランブリング）することによりＰＤＣＣＨをブラインド復号して自端末宛のＰＤＣＣＨを検出する。
【０００５】
また、端末でのブラインド復号の回数を削減することを目的として、ブラインド復号の対象となるＣＣＥを、端末毎に限定する方法が検討されている。この方法では、端末毎に、ブラインド復号対象となるＣＣＥ領域（以下、サーチスペース（Search Space）という）を限定する。ＬＴＥでは、サーチスペースは端末毎にランダムに設定され、サーチスペースを構成するＣＣＥ数はＰＤＣＣＨのＣＣＥ連結数毎に定義される。例えば、ＣＣＥ連結数１，２，４，８それぞれに対して、サーチスペースを構成するＣＣＥ数、つまり、ブラインド復号対象となるＣＣＥは６候補（６（＝１×６）ＣＣＥ），６候補（１２（＝２×６）ＣＣＥ），２候補（８（＝４×２）ＣＣＥ），２候補（１６（＝８×２）ＣＣＥ）にそれぞれ限定される。これにより、各端末は、自端末に割り当てられたサーチスペース内のＣＣＥに対してのみ、ブラインド復号を行えばよいため、ブラインド復号の回数を削減することができる。ここで、各端末のサーチスペースは、各端末の端末ＩＤと、ランダム化を行う関数であるハッシュ（ｈａｓｈ）関数とを用いて設定される。
【０００６】
また、ＬＴＥよりも更なる通信の高速化を実現する３ＧＰＰ  ＬＴＥ−Ａｄｖａｎｃｅｄ（以下、ＬＴＥ−Ａという）の標準化が開始された。ＬＴＥ−Ａでは、最大１Ｇｂｐｓ以上の下り伝送速度および最大５００Ｍｂｐｓ以上の上り伝送速度を実現するために、４０ＭＨｚ以上の広帯域周波数で通信可能な基地局および端末（以下、ＬＴＥ＋端末という）が導入される見込みである。また、ＬＴＥ−Ａシステムは、ＬＴＥ＋端末のみでなく、
ＬＴＥシステムに対応する端末（以下、ＬＴＥ端末という）を収容することが要求されている。
【０００７】
ＬＴＥ−Ａでは、４０ＭＨｚ以上の広帯域通信を実現するために、複数の周波数帯域を連結して通信するバンド連結（Band aggregation）方式が提案されている（例えば、非特許文献１参照）。例えば、２０ＭＨｚの幅を持つ周波数帯域が通信帯域の基本単位(以下、単位バンド（component band）という)とされている。よって、ＬＴＥ−Ａでは、例えば、２つの単位バンドを連結することにより４０ＭＨｚのシステム帯域幅を実現する。また、１つの単位バンドには、ＬＴＥ端末およびＬＴＥ＋端末の双方が収容される。
【０００８】
また、ＬＴＥ−Ａでは、各単位バンドのリソース割当情報を基地局から端末へ通知する通知方法として、以下の２つの通知方法が検討されている（例えば、非特許文献４参照）。１つ目の通知方法では、基地局は、複数の単位バンドそれぞれのリソース割当情報を、各単位バンドの下り単位バンドを用いて端末に通知する。そして、広帯域伝送を行う端末（複数の単位バンドを使用する端末）は、複数の単位バンドそれぞれのリソース割当情報を、各単位バンドの下り単位バンドに配置されたＰＤＣＣＨを受信することにより得る。
【０００９】
これに対し、２つ目の通知方法では、基地局は、複数の単位バンドのリソース割当情報を、１つの単位バンド（２０ＭＨｚの単位バンド）のみを用いて端末に通知する。そして、広帯域伝送を行う端末（複数の単位バンドを使用する端末）は、複数の単位バンドそれぞれのリソース割当情報を、１つの下り単位バンドに配置されたＰＤＣＣＨのみを受信することにより得る。この場合、端末は、１つの下り単位バンドに配置されたＰＤＣＣＨのみを受信すればよいため、ブラインド復号の回数を削減することができる。
【先行技術文献】
【非特許文献】
【００１０】
【非特許文献１】3GPP TS 36.211 V8.3.0, “Physical Channels and Modulation (Release 8),” May 2008
【非特許文献２】3GPP TS 36.212 V8.3.0, “Multiplexing and channel coding (Release 8),” May 2008
【非特許文献３】3GPP TS 36.213 V8.3.0, “Physical layer procedures (Release 8),” May 2008
【非特許文献４】3GPP TSG RAN WG1 meeting, R1-082468, “Carrier aggregation LTE-Advanced,” July 2008
【発明の概要】
【発明が解決しようとする課題】
【００１１】
ここで、ＬＴＥ−Ａにおいて、基地局が１つの下り単位バンドに配置されたＰＤＣＣＨのみを用いて複数の単位バンドそれぞれのリソース割当情報を端末へ通知する場合、端末が使用する複数の単位バンドのうちいずれか１つの単位バンドを端末の主バンド（Anchor
band）として設定することが考えられる。この場合、基地局は、各端末宛てのリソース割当情報を、各端末の主バンド内に設定されたサーチスペース内のＣＣＥに割り当てて、リソース割当情報を含むＰＤＣＣＨ信号を送信する。
【００１２】
また、ＬＴＥ−Ａにおける各端末のサーチスペースは、ＬＴＥと同様、サブフレーム毎にランダムに設定される。ここで、あるサブフレームにおいて、ある端末（例えば、端末Ａ）のサーチスペース内のＣＣＥが他の端末に割り当てられた場合、基地局は、端末ＡにＣＣＥを割り当てることができず、そのサブフレームでは端末Ａ宛てのＰＤＣＣＨ信号を送信することができない。以下の説明では、上述したように他の端末のＣＣＥ割当により、ある端末のＣＣＥ割当ができなくなることをＣＣＥ割当のブロックという。
【００１３】
また、ＬＴＥ−Ａでは、１つのＰＤＣＣＨを用いて複数の単位バンドのリソース（ＲＢ）割当が行われるため、ＬＴＥ−Ａ向けのＰＤＣＣＨの情報ビット数は、１つの単位バンドのリソース（ＲＢ）割当しか行われないＬＴＥ向けのＰＤＣＣＨの情報ビット数よりも多くなる。また、ＬＴＥ−Ａでは、各単位バンドでデータブロック（トランスポートブロック）が送信される場合には、ＭＣＳ（Modulation and Coding Scheme）レベルまたはＨＡＲＱ（Hybrid Automatic Repeat reQuest）情報等の制御情報の通知が単位バンド毎に必要となる。そのため、ＬＴＥ−Ａ向けのＰＤＣＣＨの情報ビット数はさらに多くなることが考えられる。つまり、ＬＴＥ−Ａでは、１つのＰＤＣＣＨ信号に対してより多くのＣＣＥを割り当てる必要がある。例えば、基地局では、ＬＴＥで定義されるＰＤＣＣＨのＣＣＥ連結数１，２，４，８のうち、ＣＣＥ連結数４または８等のより多いＣＣＥを１つのＬＴＥ＋端末宛てのＰＤＣＣＨ信号に割り当てる確率が高くなる。さらに、ＬＴＥ−Ａでは、ＬＴＥで定義されるＣＣＥ連結数の最大値８よりも多い１２ＣＣＥまたは１６ＣＣＥ（つまり、ＣＣＥ連結数１２または１６）が用いられることも考えられる。
【００１４】
この場合、ＬＴＥ＋端末宛てのＰＤＣＣＨ信号に使用されるＣＣＥ数が多くなることで、そのＬＴＥ＋端末に設定された単位バンド（主バンド）のＣＣＥがＬＴＥ＋端末に占有され、ＬＴＥ端末等の他の端末のＣＣＥ割当がブロックされる確率が高くなってしまう。特に、ＬＴＥ＋端末は複数の単位バンドを使用できるのに対し、ＬＴＥ端末は１つの単位バンドしか使用できないため、１つの単位バンドにおいてＬＴＥ端末のＣＣＥ割当がブロックされてしまうと、基地局は、そのＬＴＥ端末に対してデータを送信できなくなってしまう。このように、ＬＴＥ＋端末宛てのＰＤＣＣＨ信号のＣＣＥ連結数が多い場合（つまり、制御情報ビット数が大きい場合）、ＬＴＥ端末のＣＣＥ割当に対するスケジューリングの制約が大きくなり、ＬＴＥ端末のスループットが劣化してしまう。
【００１５】
ここで、ＬＴＥ＋端末宛てのＰＤＣＣＨ信号が割り当てられるＣＣＥを複数の単位バンド全体に分散させることにより、基地局における、端末へのＣＣＥ割当の自由度を向上させることが考えられる。すなわち、ＬＴＥ＋端末のＣＣＥ割当が複数の単位バンドに分散するため、各単位バンドではＬＴＥ端末のＣＣＥ割当に対するスケジューリングの制約が小さくなる。しかし、この場合、ＬＴＥ＋端末は、常に複数の単位バンドでＰＤＣＣＨ信号を受信する必要があるため、ＬＴＥ＋端末の消費電力が大きくなってしまう。
【００１６】
本発明の目的は、端末の消費電力の増大を抑えつつ、ＣＣＥの割当を柔軟に行うことができる基地局、端末およびＣＣＥ割当方法を提供することである。
【課題を解決するための手段】
【００１７】
本発明の基地局は、複数の下り単位バンドを使用して通信する無線通信端末装置に対して、前記無線通信端末装置毎にサーチスペースを設定する設定手段と、前記無線通信端末装置宛ての制御情報が割り当てられるＣＣＥの連結数が閾値以下の場合には、前記制御情報を、前記複数の下り単位バンドのうち１つの下り単位バンドに設定された前記サーチスペース内のＣＣＥに割り当て、前記連結数が前記閾値より多い場合には、前記制御情報を、前記複数の下り単位バンドにそれぞれ設定された前記サーチスペース内のＣＣＥに分散させて割り当てる割当手段と、を具備する構成を採る。
【００１８】
本発明の端末は、複数の下り単位バンドを使用して通信する無線通信端末装置であって、自端末のサーチスペースを算出する算出手段と、自装置宛ての制御情報が割り当てられたＣＣＥの連結数が閾値以下の場合には、前記複数の下り単位バンドのうち１つの下り単位バンドに設定された前記サーチスペース内のＣＣＥをブラインド復号し、前記連結数が前記閾値より多い場合には、前記複数の下り単位バンドにそれぞれ設定された前記サーチスペース内のＣＣＥをブラインド復号することにより、自装置宛ての前記制御情報を得る
復号手段と、を具備する構成を採る。
【００１９】
本発明のＣＣＥ割当方法は、複数の下り単位バンドを使用して通信する無線通信端末装置に対して、前記無線通信端末装置毎にサーチスペースを設定し、前記無線通信端末装置宛ての制御情報が割り当てられるＣＣＥの連結数が閾値以下の場合には、前記制御情報を、前記複数の下り単位バンドのうち１つの下り単位バンドに設定された前記サーチスペース内のＣＣＥに割り当て、前記連結数が前記閾値より多い場合には、前記制御情報を、前記複数の下り単位バンドにそれぞれ設定された前記サーチスペース内のＣＣＥに分散させて割り当てるようにする。
【発明の効果】
【００２０】
本発明によれば、端末の消費電力の増大を抑えつつ、ＣＣＥの割当を柔軟に行うことができる。
【図面の簡単な説明】
【００２１】
【図１】本発明の実施の形態１に係る基地局の構成を示すブロック図
【図２】本発明の実施の形態１に係る端末の構成を示すブロック図
【図３】本発明の実施の形態１の設定方法１に係るＣＣＥ割当処理を示す図（ＣＣＥ連結数が閾値以下の場合）
【図４】本発明の実施の形態１の設定方法１に係るＣＣＥ割当処理を示す図（ＣＣＥ連結数が閾値より多い場合）
【図５】本発明の実施の形態１の設定方法１に係るサーチスペースの設定方法を示す図
【図６】本発明の実施の形態１の設定方法２に係るＣＣＥ割当処理を示す図（ＣＣＥ連結数が閾値より多い場合）
【図７】本発明の実施の形態１の設定方法２に係るサーチスペースの設定方法を示す図
【図８Ａ】本発明の実施の形態２に係るＣＣＥ割当処理を示す図（ＣＣＥ連結数：１）
【図８Ｂ】本発明の実施の形態２に係るＣＣＥ割当処理を示す図（ＣＣＥ連結数：４）
【図８Ｃ】本発明の実施の形態２に係るＣＣＥ割当処理を示す図（ＣＣＥ連結数：１２）
【発明を実施するための形態】
【００２２】
以下、本発明の実施の形態について図面を参照して詳細に説明する。なお、実施の形態において、同一の構成要素には同一の符号を付し、その説明は重複するので省略する。
【００２３】
（実施の形態１）
図１は、本実施の形態に係る基地局１００の構成を示すブロック図である。
【００２４】
図１に示す基地局１００において、単位バンド設定部１０１は、例えば、所要伝送レートまたはデータ伝送量に従って、端末毎に上り回線および下り回線にそれぞれ使用する１つまたは複数の単位バンドを設定（configure）する。ここで、単位バンド設定部１０１は、ＬＴＥ端末に対して１つの単位バンドを設定し、ＬＴＥ＋端末に対して複数の単位バンドを設定する。また、単位バンド設定部１０１は、ＬＴＥ＋端末に対して設定した複数の単位バンドのうちいずれか１つの単位バンドを、そのＬＴＥ＋端末の主バンドとして設定する。そして、単位バンド設定部１０１は、各端末に設定した単位バンドの情報を含む設定情報を制御部１０２、サーチスペース設定部１０３、ＰＤＣＣＨ生成部１０４および符号化・変調部１０７に出力する。
【００２５】
制御部１０２は、単位バンド設定部１０１から入力される設定情報に示される単位バンドの数に応じて制御情報を生成する。例えば、制御部１０２は、１つの単位バンドのみが設定されている端末に対して、１つのトランスポートブロックに対する１つのＭＣＳ情報、１つの単位バンドのリソース（ＲＢ）割当情報、および、１つのＨＡＲＱ情報を含む制
御情報を生成する。一方、制御部１０２は、複数の単位バンドが設定されている端末に対して、複数の単位バンドでそれぞれ送信される複数のトランスポートブロックに対する複数のＭＣＳ情報、複数の単位バンドのリソース（ＲＢ）割当情報、および、複数のＨＡＲＱ情報を含む制御情報を生成する。ここで、制御部１０２は、リソース割当情報として、端末の上り回線データを割り当てる上りリソース（例えば、ＰＵＳＣＨ（Physical Uplink Shared Channel））を示す上りリソース割当情報、および、端末宛ての下り回線データを割り当てる下りリソース（例えば、ＰＤＳＣＨ（Physical Downlink Shared Channel））を示す下りリソース割当情報を生成する。そして、制御部１０２は、生成した制御情報のうち、ＭＣＳ情報およびＨＡＲＱ情報をＰＤＣＣＨ生成部１０４に出力し、上りリソース割当情報をＰＤＣＣＨ生成部１０４および抽出部１１７に出力し、下りリソース割当情報をＰＤＣＣＨ生成部１０４および多重部１０９に出力する。
【００２６】
サーチスペース設定部１０３は、単位バンド設定部１０１から入力される設定情報に示される、各端末に設定した単位バンドの情報に基づいて、端末毎にサーチスペースを設定する。例えば、サーチスペース設定部１０３は、ＬＴＥ端末（１つの単位バンドを使用する端末）に対して、そのＬＴＥ端末に設定された単位バンドにおけるサーチスペースを、ＬＴＥ端末の端末ＩＤおよびランダム化を行うハッシュ（hash）関数を用いて算出されるＣＣＥ番号と、サーチスペースを構成するＣＣＥ数（Ｌ）とから算出する。また、サーチスペース設定部１０３は、ＬＴＥ＋端末（複数の単位バンドを使用する端末）に対して、制御情報（ＰＤＣＣＨ信号）が割り当てられるＣＣＥの連結数（すなわち、ＰＤＣＣＨ信号のＣＣＥ連結数）が閾値以下の場合には、そのＬＴＥ＋端末に設定された主バンドにおいて、ＬＴＥ＋端末のサーチスペースを上記ＬＴＥ端末と同様にして算出する。一方、サーチスペース設定部１０３は、制御情報（ＰＤＣＣＨ信号）のＣＣＥ連結数が閾値より多い場合には、そのＬＴＥ＋端末に設定された複数の単位バンドに渡ってサーチスペースを設定する。そして、サーチスペース設定部１０３は、設定した各端末のサーチスペースを示すサーチスペース情報を割当部１０６に出力する。なお、サーチスペース設定部１０３におけるサーチスペース設定方法の詳細については後述する。
【００２７】
ＰＤＣＣＨ生成部１０４は、制御部１０２から入力される上りリソース割当情報、下りリソース割当情報、ＭＣＳ情報およびＨＡＲＱ情報を含むＰＤＣＣＨ信号を生成する。このとき、ＰＤＣＣＨ生成部１０４は、上りリソース割当情報および下りリソース割当情報にＣＲＣビットを付加し、さらにＣＲＣビットを端末ＩＤでマスキング（または、スクランブリング）してＰＤＣＣＨ信号を生成する。そして、ＰＤＣＣＨ生成部１０４は、マスキング後のＰＤＣＣＨ信号を、符号化・変調部１０５に出力する。
【００２８】
符号化・変調部１０５は、ＰＤＣＣＨ生成部１０４から入力されるＰＤＣＣＨ信号をチャネル符号化後に変調して、変調後のＰＤＣＣＨ信号を割当部１０６に出力する。ここで、符号化・変調部１０５は、各端末から報告されるチャネル品質情報（ＣＱＩ：Channel Quality Indicator）に基づいて、各端末で十分な受信品質が得られるように符号化率を設定する。例えば、符号化・変調部１０５は、セル境界付近に位置する端末ほど（チャネル品質が悪い端末ほど）、より低い符号化率を設定する。
【００２９】
割当部１０６は、符号化・変調部１０５から入力される各端末のＰＤＣＣＨ信号を、サーチスペース設定部１０３から入力されるサーチスペース情報に示される端末毎のサーチスペース内のＣＣＥにそれぞれ割り当てる。ここで、１つのＰＤＣＣＨ信号のＣＣＥ連結数は、符号化率およびＰＤＣＣＨ信号のビット数（制御情報の情報量）によって異なる。例えば、セル境界付近に位置する端末宛てのＰＤＣＣＨ信号の符号化率は低く設定され、より多くの物理リソースが必要であるため、割当部１０６は、セル境界付近に位置する端末宛てのＰＤＣＣＨ信号を、より多くのＣＣＥに割り当てる。また、ＬＴＥ＋端末に対し、割当部１０６は、ＰＤＣＣＨ信号のＣＣＥ連結数が閾値以下の場合には、ＰＤＣＣＨ信
号を、複数の単位バンドのうち主バンドに設定されたサーチスペース内のＣＣＥに割り当てる。一方、割当部１０６は、ＰＤＣＣＨ信号のＣＣＥ連結数が閾値より多い場合、ＰＤＣＣＨ信号を、複数の単位バンドにそれぞれ設定されたサーチスペース内のＣＣＥに分散させて割り当てる。そして、割当部１０６は、ＣＣＥに割り当てたＰＤＣＣＨ信号を多重部１０９に出力する。また、割当部１０６は、ＰＤＣＣＨ信号が割り当てられたＣＣＥを示す情報をＡＣＫ／ＮＡＣＫ受信部１２０に出力する。なお、割当部１０６におけるＣＣＥ割当処理の詳細については後述する。
【００３０】
符号化・変調部１０７は、単位バンド設定部１０１から入力される設定情報をチャネル符号化後に変調して、変調後の設定情報を多重部１０９に出力する。
【００３１】
符号化・変調部１０８は、入力される送信データ（下り回線データ）をチャネル符号化後に変調して、変調後の送信データ信号を多重部１０９に出力する。
【００３２】
多重部１０９は、割当部１０６から入力されるＰＤＣＣＨ信号、符号化・変調部１０７から入力される設定情報および符号化・変調部１０８から入力されるデータ信号（つまり、ＰＤＳＣＨ信号）を多重する。ここで、多重部１０９は、制御部１０２から入力される下りリソース割当情報に基づいて、ＰＤＣＣＨ信号およびデータ信号（ＰＤＳＣＨ信号）を各下り単位バンドにマッピングする。なお、多重部１０９は、設定情報をＰＤＳＣＨにマッピングしてもよい。そして、多重部１０９は、多重信号をＩＦＦＴ（Inverse Fast Fourier Transform）部１１０に出力する。
【００３３】
ＩＦＦＴ部１１０は、多重部１０９から入力される多重信号を時間波形に変換し、ＣＰ（Cyclic Prefix）付加部１１１は、この時間波形にＣＰを付加することによりＯＦＤＭ信号を得る。
【００３４】
送信ＲＦ部１１２は、ＣＰ付加部１１１から入力されるＯＦＤＭ信号に対して送信無線処理（アップコンバート、ディジタルアナログ（Ｄ／Ａ）変換など）を施し、アンテナ１１３を介して送信する。
【００３５】
一方、受信ＲＦ部１１４は、アンテナ１１３を介して受信帯域で受信した受信無線信号に対して受信無線処理（ダウンコンバート、アナログディジタル（Ａ／Ｄ）変換など）を施し、得られた受信信号をＣＰ除去部１１５に出力する。
【００３６】
ＣＰ除去部１１５は、受信信号からＣＰを除去し、ＦＦＴ（Fast Fourier Transform）部１１６は、ＣＰ除去後の受信信号を周波数領域信号に変換する。
【００３７】
抽出部１１７は、制御部１０２から入力される上りリソース割当情報に基づいて、ＦＦＴ部１１６から入力される周波数領域信号から上り回線データを抽出し、ＩＤＦＴ（Inverse Discrete Fourier Transform）部１１８は抽出信号を時間領域信号に変換し、その時間領域信号をデータ受信部１１９およびＡＣＫ／ＮＡＣＫ受信部１２０に出力する。
【００３８】
データ受信部１１９は、ＩＤＦＴ部１１８から入力される時間領域信号を復号する。そして、データ受信部１１９は、復号後の上り回線データを受信データとして出力する。
【００３９】
ＡＣＫ／ＮＡＣＫ受信部１２０は、ＩＤＦＴ部１１８から入力される時間領域信号のうち、下り回線データ（ＰＤＳＣＨ信号）に対する各端末からのＡＣＫ／ＮＡＣＫ信号を、割当部１０６から入力される情報に基づいて、その下り回線データの割当に使用されたＣＣＥに対応付けられた上り回線制御チャネル（例えば、ＰＵＣＣＨ（Physical Uplink Control Channel））から抽出する。そして、ＡＣＫ／ＮＡＣＫ受信部１２０は、抽出した
ＡＣＫ／ＮＡＣＫ信号のＡＣＫ／ＮＡＣＫ判定を行う。ここでは、端末がＡＣＫ／ＮＡＣＫ信号の送信に用いるＰＵＣＣＨを基地局から各端末へ通知するためのシグナリングを不要にして下り回線の通信リソースを効率良く使用するために、ＣＣＥとＰＵＣＣＨとが対応付けられている。よって、各端末は、この対応付けに従って自端末への制御情報（ＰＤＣＣＨ信号）がマッピングされているＣＣＥから、自端末からのＡＣＫ／ＮＡＣＫ信号の送信に用いるＰＵＣＣＨを判定している。ここで、基地局１００が複数の単位バンドの下り回線データ（ＰＤＳＣＨ信号）の下りリソース割当情報を含むＰＤＣＣＨ信号を、複数の単位バンドの下り単位バンドのＣＣＥに割り当てた場合、ＡＣＫ／ＮＡＣＫ受信部１２０は、それぞれのＣＣＥのＣＣＥ番号に対応付けられたＰＵＣＣＨから、複数のＡＣＫ／ＮＡＣＫ信号を抽出する。
【００４０】
図２は、本実施の形態に係る端末２００の構成を示すブロック図である。端末２００は、ＬＴＥ＋端末であり、複数の下り単位バンドを使用してデータ信号（下り回線データ）を受信し、そのデータ信号に対するＡＣＫ／ＮＡＣＫ信号を１つの上り単位バンドのＰＵＣＣＨを用いて基地局１００へ送信する。
【００４１】
図２に示す端末２００において、受信ＲＦ部２０２は、受信帯域を変更可能に構成されており、設定情報受信部２０６から入力される帯域情報に基づいて、受信帯域を変更する。そして、受信ＲＦ部２０２は、アンテナ２０１を介して受信帯域で受信した受信無線信号（ここでは、ＯＦＤＭ信号）に対して受信無線処理（ダウンコンバート、アナログディジタル（Ａ／Ｄ）変換など）を施し、得られた受信信号をＣＰ除去部２０３に出力する。
【００４２】
ＣＰ除去部２０３は、受信信号からＣＰを除去し、ＦＦＴ部２０４はＣＰ除去後の受信信号を周波数領域信号に変換する。この周波数領域信号は、分離部２０５に出力される。
【００４３】
分離部２０５は、ＦＦＴ部２０４から入力される信号を、設定情報を含む上位レイヤの制御信号（例えば、ＲＲＣシグナリング等）とＰＤＣＣＨ信号とデータ信号（つまり、ＰＤＳＣＨ信号）とに分離する。そして、分離部２０５は、制御信号を設定情報受信部２０６に出力し、ＰＤＣＣＨ信号をＰＤＣＣＨ受信部２０７に出力し、ＰＤＳＣＨ信号をＰＤＳＣＨ受信部２０８に出力する。
【００４４】
設定情報受信部２０６は、分離部２０５から入力される制御信号から、自端末に設定された上り単位バンドおよび下り単位バンドを示す情報を読み取り、読み取った情報を帯域情報としてＰＤＣＣＨ受信部２０７、受信ＲＦ部２０２および送信ＲＦ部２１５に出力する。また、設定情報受信部２０６は、分離部２０５から入力される制御信号から、自端末に設定された端末ＩＤを示す情報を読み取り、読み取った情報を端末ＩＤ情報としてＰＤＣＣＨ受信部２０７に出力する。また、設定情報受信部２０６は、自端末に設定された主バンドを示す情報を読み取り、読み取った情報を主バンド情報としてＰＤＣＣＨ受信部２０７に出力する。
【００４５】
ＰＤＣＣＨ受信部２０７は、分離部２０５から入力されるＰＤＣＣＨ信号をブラインド復号して、自端末宛てのＰＤＣＣＨ信号を得る。ここで、自端末宛てのＰＤＣＣＨ信号のＣＣＥ連結数が閾値以下の場合には、ＰＤＣＣＨ信号は、設定情報受信部２０６から入力される主バンド情報に示される、自端末に設定された主バンドに配置されたＣＣＥに割り当てられている。一方、自端末宛てのＰＤＣＣＨ信号のＣＣＥ連結数が閾値より多い場合には、ＰＤＣＣＨ信号は、自端末が使用する複数の単位バンドにそれぞれ配置されたＣＣＥに分散して割り当てられている。
【００４６】
具体的には、まず、ＰＤＣＣＨ受信部２０７は、設定情報受信部２０６から入力される端末ＩＤ情報に示される自端末の端末ＩＤを用いて自端末のサーチスペースを各ＣＣＥ連
結数に対してそれぞれ算出する。そして、ＰＤＣＣＨ受信部２０７は、算出したサーチスペース内のＰＤＣＣＨが割り当てられている可能性のある各ＣＣＥについて復調および復号する。ここで、サーチスペースはＣＣＥ連結数に応じて設定されているため、ＰＤＣＣＨ受信部２０７は、各ＣＣＥ連結数に応じたサーチスペース内のＰＤＣＣＨが割り当てられている可能性があるＣＣＥに対して復調および復号する。すなわち、ＰＤＣＣＨ受信部２０７は、自端末宛てのＰＤＣＣＨ信号のＣＣＥ連結数が閾値以下の場合を想定して、自端末に設定された複数の下り単位バンドのうち１つの下り単位バンド（主バンド）に設定された自端末のサーチスペース内のＣＣＥをブラインド復号する。また、ＰＤＣＣＨ受信部２０７は、自端末宛てのＰＤＣＣＨ信号のＣＣＥ連結数が閾値より多い場合を想定して、自端末に設定された複数の下り単位バンドにそれぞれ設定された自端末のサーチスペース内のＣＣＥをブラインド復号する。
【００４７】
そして、ＰＤＣＣＨ受信部２０７は、復号後のＰＤＣＣＨ信号に対して、端末ＩＤ情報に示される自端末の端末ＩＤでＣＲＣビットをデマスキングすることによりＣＲＣ＝ＯＫ（誤り無し）となったＰＤＣＣＨ信号を自端末宛てのＰＤＣＣＨ信号であると判定する。そして、ＰＤＣＣＨ受信部２０７は、自端末宛てのＰＤＣＣＨ信号に含まれる下りリソース割当情報をＰＤＳＣＨ受信部２０８に出力し、上りリソース割当情報をマッピング部２１２に出力する。また、ＰＤＣＣＨ受信部２０７は、自端末宛てのＰＤＣＣＨ信号が検出されたＣＣＥ（ＣＲＣ＝ＯＫとなるＣＣＥ）のＣＣＥ番号（ＣＣＥ連結数が複数の場合は先頭のＣＣＥのＣＣＥ番号）をマッピング部２１２に出力する。
【００４８】
ＰＤＳＣＨ受信部２０８は、ＰＤＣＣＨ受信部２０７から入力される下りリソース割当情報に基づいて、分離部２０５から入力されるＰＤＳＣＨ信号から受信データ（下り回線データ）を抽出する。また、ＰＤＳＣＨ受信部２０８は、抽出した受信データ（下り回線データ）に対して誤り検出を行う。そして、ＰＤＳＣＨ受信部２０８は、誤り検出の結果、受信データに誤りがある場合にはＡＣＫ／ＮＡＣＫ信号としてＮＡＣＫ信号と生成し、受信データに誤りが無い場合にはＡＣＫ／ＮＡＣＫ信号としてＡＣＫ信号と生成し、ＡＣＫ／ＮＡＣＫ信号を変調部２０９に出力する。
【００４９】
変調部２０９は、ＰＤＳＣＨ受信部２０８から入力されるＡＣＫ／ＮＡＣＫ信号を変調し、変調後のＡＣＫ／ＮＡＣＫ信号をＤＦＴ（Discrete Fourier transform）部２１１に出力する。
【００５０】
変調部２１０は、送信データ（上り回線データ）を変調し、変調後のデータ信号をＤＦＴ部２１１に出力する。
【００５１】
ＤＦＴ部２１１は、変調部２０９から入力されるＡＣＫ／ＮＡＣＫ信号および変調部２１０から入力されるデータ信号を周波数領域に変換し、得られる複数の周波数成分をマッピング部２１２に出力する。
【００５２】
マッピング部２１２は、ＰＤＣＣＨ受信部２０７から入力される上りリソース割当情報に従って、ＤＦＴ部２１１から入力される複数の周波数成分のうち、データ信号に相当する周波数成分を、上り単位バンドに配置されたＰＵＳＣＨにマッピングする。また、マッピング部２１２は、ＰＤＣＣＨ受信部２０７から入力されるＣＣＥ番号に従って、ＤＦＴ部２１１から入力される複数の周波数成分のうち、ＡＣＫ／ＮＡＣＫ信号に相当する周波数成分またはコードリソースを、上り単位バンドに配置されたＰＵＣＣＨにマッピングする。
【００５３】
なお、変調部２０９、変調部２１０、ＤＦＴ部２１１およびマッピング部２１２は単位バンド毎に設けられてもよい。
【００５４】
ＩＦＦＴ部２１３は、ＰＵＳＣＨにマッピングされた複数の周波数成分を時間領域波形に変換し、ＣＰ付加部２１４は、その時間領域波形にＣＰを付加する。
【００５５】
送信ＲＦ部２１５は、送信帯域を変更可能に構成されており、設定情報受信部２０６から入力される帯域情報に基づいて、送信帯域を設定する。そして、送信ＲＦ部２１５は、ＣＰが付加された信号に送信無線処理（アップコンバート、ディジタルアナログ（Ｄ／Ａ）変換など）を施してアンテナ２０１を介して送信する。
【００５６】
次に、基地局１００のサーチスペース設定部１０３におけるサーチスペース設定処理、および、割当部１０６におけるＣＣＥ割当処理の詳細について説明する。
【００５７】
以下の説明では、基地局１００の単位バンド設定部１０１（図１）は、図３、図４および図６に示すように、それぞれ２０ＭＨｚの幅を持つ２つの下り単位バンド（単位バンド１および単位バンド２）を端末１（端末２００、すなわちＬＴＥ＋端末）に設定する。すなわち、基地局１００と端末１（端末２００）とは、２つの下り単位バンドを使用して通信する。また、単位バンド設定部１０１は、端末１（端末２００）の主バンドとして、図３、図４および図６に示す２つの下り単位バンドのうち、単位バンド１を設定する。また、単位バンド設定部１０１は、図３、図４および図６に示すように、１つの下り単位バンド（単位バンド１）を端末２（ＬＴＥ端末）に設定する。
【００５８】
また、以下の説明では、各下り単位バンドに配置されるＰＤＣＣＨは、図３、図４および図６に示すように、１６個のＣＣＥで構成される。また、ＰＤＳＣＨのリソース割当情報を示すＰＤＣＣＨ信号のＣＣＥ連結数を、１，２，４，８，１２，１６のいずれかとする。また、ＣＣＥ連結数の閾値を８ＣＣＥとする。また、図３では、端末１宛てのＰＤＣＣＨ信号が２ＣＣＥ（つまり、ＣＣＥ連結数：２）に割り当てられ、図４および図６では、端末１宛てのＰＤＣＣＨ信号が１２ＣＣＥ（つまり、ＣＣＥ連結数：１２）に割り当てられる。また、図３、図４および図６では、端末２宛てのＰＤＣＣＨ信号が２ＣＣＥ（つまり、ＣＣＥ連結数：２）に割り当てられる。また、図３、図４および図６では、ＰＤＣＣＨ信号のＣＣＥ連結数が２の場合、サーチスペースを構成するＣＣＥ数を６個（つまり、３候補）とし、ＰＤＣＣＨ信号のＣＣＥ連結数が１２である場合、サーチスペースを構成するＣＣＥ数を１２個（つまり、１候補）とする。同様に、ＰＤＣＣＨ信号のＣＣＥ連結数が１６ＣＣＥの場合、サーチスペースを構成するＣＣＥ数を１６個（つまり、１候補）とする。
【００５９】
サーチスペース設定部１０３は、端末（図３、図４および図６では、端末１および端末２）毎にサーチスペースを設定する。また、サーチスペース設定部１０３は、複数の下り単位バンドを使用して通信する端末１に対しては、端末１宛てのＰＤＣＣＨ信号のＣＣＥ連結数に応じてサーチスペースを設定する。そして、割当部１０６は、端末１宛てのＰＤＣＣＨ信号および端末２宛てのＰＤＣＣＨ信号を、端末毎に設定されたサーチスペース内のＣＣＥに割り当てる。以下、サーチスペース設定部１０３におけるサーチスペースの設定方法１および設定方法２のそれぞれにおけるサーチスペース設定処理および割当部１０６におけるＣＣＥ割当処理について説明する。
【００６０】
＜設定方法１＞
本設定方法では、サーチスペースを構成するＣＣＥ数が各単位バンドで均等になるようにサーチスペースを設定する。
【００６１】
まず、端末１宛てのＰＤＣＣＨ信号のＣＣＥ連結数が閾値（８ＣＣＥ）以下の場合（つまり、ＣＣＥ連結数が１，２，４，８の場合）について説明する。
【００６２】
サーチスペース設定部１０３は、端末１宛てのＰＤＣＣＨ信号のＣＣＥ連結数が閾値（８ＣＣＥ）以下の場合には、端末１に設定された主バンド（図３に示す単位バンド１）に、端末１のサーチスペースを設定する。具体的には、図３に示すように、端末１宛てのＰＤＣＣＨ信号のＣＣＥ連結数が２（サーチスペースを構成するＣＣＥ数：６）であるので、サーチスペース設定部１０３は、端末１のサーチスペースとして、単位バンド１（端末１の主バンド）の６個のＣＣＥを設定する。
【００６３】
また、図３に示すように、端末２宛てのＰＤＣＣＨ信号のＣＣＥ連結数が２であるので、サーチスペース設定部１０３は、端末２のサーチスペースとして、単位バンド１（端末２に設定された単位バンド）の６個のＣＣＥを設定する。
【００６４】
そして、図３に示すように、割当部１０６は、端末１宛てのＰＤＣＣＨ信号を、端末１のサーチスペース内の２つのＣＣＥに割り当て、端末２宛てのＰＤＣＣＨ信号を、端末２のサーチスペース内の２つのＣＣＥに割り当てる。
【００６５】
なお、端末１宛てのＰＤＣＣＨ信号のＣＣＥ連結数が１，４，８である場合についても同様である。
【００６６】
次に、端末１宛てのＰＤＣＣＨ信号のＣＣＥ連結数が閾値（８ＣＣＥ）より多い場合（つまり、ＣＣＥ連結数が１２，１６の場合）について説明する。
【００６７】
サーチスペース設定部１０３は、端末１宛てのＰＤＣＣＨ信号のＣＣＥ連結数が閾値（８ＣＣＥ）より多い場合には、端末１に設定された複数の単位バンド（図４に示す単位バンド１および単位バンド２）に渡って、端末１のサーチスペースを設定する。
【００６８】
ここで、本設定方法におけるサーチスペース設定部１０３は、ＰＤＣＣＨ信号のＣＣＥ連結数が閾値より多い場合には、サーチスペースを構成するＣＣＥ数が複数の単位バンドで均等になるようにサーチスペースを設定する。具体的には、サーチスペース設定部１０３は、サーチスペースとして、各単位バンドでｆｌｏｏｒ（ＮＣＣＥ／ＭＣＣ）個のＣＣＥ、または、ｃｅｉｌ（ＮＣＣＥ／ＭＣＣ）個のＣＣＥを設定する。ただし、演算子ｆｌｏｏｒ（ｘ）はｘを超えない最大の整数を表し、演算子ｃｅｉｌ（ｘ）はｘを超える最小の整数を表す。また、ＮＣＣＥはＰＤＣＣＨ信号のＣＣＥ連結数であり、ＭＣＣは端末に設定された単位バンド数である。
【００６９】
例えば、ＣＣＥ連結数が１２（ＮＣＣＥ＝１２）個の場合（つまり、サーチスペースを構成するＣＣＥ数が１２個の場合）について説明する。端末に設定された単位バンド数が２（ＭＣＣ＝２）個の場合には、その端末のサーチスペースは、図５に示すように、各単位バンドの６（＝１２／２）ＣＣＥで構成される。つまり、サーチスペース設定部１０３は、１２ＣＣＥで構成されるサーチスペースとして、２つの単位バンドに６ＣＣＥずつ均等に設定する。同様に、端末に設定された単位バンド数が３（ＭＣＣ＝３）個の場合には、その端末のサーチスペースは、図５に示すように、各単位バンドの４（＝１２／３）ＣＣＥで構成され、端末に設定される単位バンド数が４（ＭＣＣ＝４）の場合には、その端末のサーチスペースは、図５に示すように、各単位バンドの３（＝１２／４）ＣＣＥで構成される。また、図５に示すように、端末に設定される単位バンド数が５（ＭＣＣ＝５）の場合には、その端末のサーチスペースは、２つの単位バンドの３（＝ｃｅｉｌ（１２／５））ＣＣＥおよび３つの単位バンドの２（＝ｆｌｏｏｒ（１２／５））ＣＣＥで構成される、つまり、各単位バンドのＣＣＥ数がほぼ均等になるように構成される。
【００７０】
なお、図５に示すように、ＣＣＥ連結数が１６（ＮＣＣＥ＝１６）個の場合（つまり、
サーチスペースを構成するＣＣＥ数が１６個の場合）についても同様である。
【００７１】
よって、図４では端末１宛てのＰＤＣＣＨ信号のＣＣＥ連結数が１２（ＮＣＣＥ＝１２）個であり、単位バンド数が２（ＭＣＣ＝２）個であるので、サーチスペース設定部１０３は、端末１のサーチスペースとして、単位バンド１の６個のＣＣＥおよび単位バンド２の６個のＣＣＥを設定する。なお、サーチスペース設定部１０３は、図３と同様、端末２のサーチスペースとして、単位バンド１（端末２に設定された単位バンド）の６個のＣＣＥを設定する。
【００７２】
そして、図４に示すように、割当部１０６は、端末１宛てのＰＤＣＣＨ信号を、単位バンド１に設定された端末１のサーチスペース内の６個のＣＣＥ、および、単位バンド２に設定された端末１のサーチスペース内の６個のＣＣＥに分散させて割り当てる。また、図４に示すように、割当部１０６は、端末２宛てのＰＤＣＣＨ信号を、図３と同様、単位バンド１に設定された端末２のサーチスペース内の２個のＣＣＥに割り当てる。
【００７３】
すなわち、図３に示すように、端末１宛てのＰＤＣＣＨ信号のＣＣＥ連結数が閾値以下の場合には、割当部１０６は、端末１宛てのＰＤＣＣＨ信号を、端末１が使用する複数の単位バンド（図３に示す単位バンド１および単位バンド２）のうち１つの単位バンド（図３に示す単位バンド１（主バンド））に設定されたサーチスペース内のＣＣＥに割り当てる。一方、図４に示すように、端末１宛てのＰＤＣＣＨ信号のＣＣＥ連結数が閾値より多い場合には、割当部１０６は、端末１宛てのＰＤＣＣＨ信号を、端末１が使用する複数の単位バンド（図４に示す単位バンド１および単位バンド２）にそれぞれ設定されたサーチスペース内のＣＣＥに分散させて割り当てる。
【００７４】
つまり、基地局１００は、ＣＣＥ連結数が閾値よりも多く必要なＬＴＥ＋端末に対してのみ、ＰＤＣＣＨ信号を、複数の単位バンドに分散させて送信する。換言すると、基地局１００は、ＣＣＥ連結数が閾値以下のＬＴＥ端末に対しては、ＰＤＣＣＨ信号を、１つの単位バンドに集約して送信する。
【００７５】
これにより、ＬＴＥ＋端末宛てのＰＤＣＣＨ信号のＣＣＥ連結数が閾値よりも多くなる場合でも、ＰＤＣＣＨ信号が割り当てられる単位バンド当たりのＣＣＥ数を低減することができる。具体的には、ＰＤＣＣＨ信号のＣＣＥ連結数が閾値より多い場合でも、各単位バンド当たりのＰＤＣＣＨ信号のＣＣＥ連結数は８ＣＣＥ以下となる。つまり、各単位バンドでは、ＬＴＥ端末およびＬＴＥ＋端末のいずれの端末でも、ＰＤＣＣＨ信号が割り当てられるＣＣＥの数は８個以下となる。よって、ＰＤＣＣＨ信号のＣＣＥ連結数が閾値よりも多く必要なＬＴＥ＋端末が、１つの単位バンドを占有してしまうことが無くなるため、各単位バンドでは、ＬＴＥ端末（図４では単位バンド１に設定された端末２）のＣＣＥ割当がブロックされる確率が低減される。よって、ＬＴＥ端末のＣＣＥ割当に対するスケジューリングの制約が緩和されるため、ＬＴＥ端末のスループットを向上させることができる。
【００７６】
また、ＬＴＥ＋端末宛てのＰＤＣＣＨ信号のＣＣＥ連結数が閾値以下の場合には、ＬＴＥ＋端末は、１つの単位バンドでＰＤＣＣＨ信号を受信する。すなわち、ＬＴＥ＋端末は、１つの単位バンドのみ、つまり、必要最小限の帯域でＰＤＣＣＨ信号（狭帯域信号）を受信すればよいため、ＰＤＣＣＨ信号の受信時の消費電力を最小限に抑えることができる。
【００７７】
また、ＣＣＥ連結数が閾値よりも多く必要なＬＴＥ＋端末は、複数の単位バンドでデータ通信を行う端末（つまり、制御情報サイズが大きい端末）であり、かつ、例えばセル境界付近に位置し、チャネル品質が劣悪（低い符号化率が必要）な端末である可能性が高い
。よって、ＣＣＥ連結数が閾値より多く必要なＬＴＥ＋端末宛てのＰＤＣＣＨ信号が、複数の単位バンドに分散して送信されることにより、ＬＴＥ＋端末では、周波数ダイバーシチ効果が得られ、ＰＤＣＣＨ信号の誤り率特性を向上させることができる。さらに、本配置方法では、基地局１００は、サーチスペースを構成するＣＣＥを各単位バンドで均等に設定する。これにより、ＣＣＥ連結数が閾値より多く必要なＬＴＥ＋端末は、均等な周波数リソースを用いてＰＤＣＣＨ信号を受信できるため、より大きな周波数ダイバーシチ効果を得ることができる。
【００７８】
また、基地局１００は、各端末から報告されるＣＱＩ情報に基づいて、各端末宛てのＰＤＣＣＨ信号をＣＣＥに割り当てる。例えば、基地局１００は、ＣＱＩ情報に示されるチャネル品質が劣悪であり、ＰＤＣＣＨ信号の符号化率を低くする必要がある端末（例えば、セル境界付近の端末）宛てのＰＤＣＣＨ信号を、より多くのＣＣＥに割り当て、かつ、複数の単位バンドに分散させて送信する可能性が高い。この場合、セル境界付近に位置する端末は、ＰＤＣＣＨ信号を、複数の単位バンドで受信することにより周波数ダイバーシチ効果を得ることができ、基地局１００と端末との間のチャネル時間変動をより小さくすることができる。すなわち、セル境界付近に位置する端末は、基地局と自端末との間のチャネル時間変動がより小さくなるので、ＣＱＩ送信周期をより長くすることができる。よって、上り回線では、より多くの無線リソース（周波数リソースおよび電力リソース）をＣＱＩ情報の送信に必要とするセル境界付近に位置する端末から基地局へのＣＱＩ情報の送信回数を低減することができる。このため、上り回線の制御情報によるオーバヘッドを削減でき、上り回線のスループットを向上させることができる。また、セル境界付近に位置する端末では、基地局１００と自端末との間のチャネル時間変動がより小さくなることで、長時間平均によりＣＱＩを測定することができるため、ＣＱＩ情報の精度を向上させることができる。
【００７９】
また、ＣＣＥ連結数の閾値を、ＬＴＥで定義されるＣＣＥ連結数の最大値８とすることにより、ＬＴＥ＋端末宛てのＰＤＣＣＨ信号のＣＣＥ連結数が閾値以下の場合には、ＬＴＥにおけるサーチスペース設定およびＣＣＥ割当と同一のサーチスペース設定およびＣＣＥ割当をＬＴＥ＋端末に対しても適用することができる。つまり、本設定方法によれば、ＬＴＥ−Ａでは、ＣＣＥ連結数が閾値より多い場合（つまり、ＣＣＥ連結数：１２，１６）のみ、新たなサーチスペース設定（例えば、図５）およびＣＣＥ割当を定義すればよいため、簡易な構成のシステム、基地局および端末が実現できる。
【００８０】
このように、本設定方法によれば、基地局は、ＰＤＣＣＨ信号のＣＣＥ連結数が閾値より多い場合、ＰＤＣＣＨ信号を複数の単位バンドに分散させて送信し、ＰＤＣＣＨ信号のＣＣＥ連結数が閾値以下の場合、ＰＤＣＣＨ信号を１つの単位バンドのみで送信する。これにより、より多くのＣＣＥが割り当てられた端末が存在する場合でも、基地局は、各単位バンドにおいて他の端末のＣＣＥ割当がブロックされる確率を低減し、複数の端末に対するＣＣＥ割当を柔軟に行うことができる。また、各端末は、自端末宛てのＰＤＣＣＨ信号のＣＣＥ連結数が閾値より多い場合のみ、複数の単位バンドでＰＤＣＣＨ信号を受信すればよく、ＰＤＣＣＨ信号の受信時の消費電力を最小限に抑えることができる。よって、本設定方法によれば、端末の消費電力の増大を抑えつつ、ＣＣＥの割当を柔軟に行うことができる。
【００８１】
＜設定方法２＞
本設定方法では、サーチスペースを構成するＣＣＥが、１，２，４，８個のいずれかのＣＣＥ連結数の単位で各単位バンドに分散されるようにサーチスペースを設定する。つまり、本設定方法では、ＬＴＥで定義されたＣＣＥ連結数単位で各単位バンドに分散されるようにサーチスペースを設定する。
【００８２】
端末１宛てのＰＤＣＣＨ信号のＣＣＥ連結数が閾値（８ＣＣＥ）以下の場合（つまり、ＣＣＥ連結数が１，２，４，８の場合）、サーチスペース設定部１０３は、設定方法１（例えば図３に示すＣＣＥ連結数が２の場合）と同様にして、端末１のサーチスペースおよび端末２のサーチスペースを設定する。そして、図３に示すように、割当部１０６は、設定方法１と同様、端末１宛てのＰＤＣＣＨ信号を、端末１のサーチスペース内の２つのＣＣＥに割り当て、端末２宛てのＰＤＣＣＨ信号を、端末２のサーチスペース内の２つのＣＣＥに割り当てる。
【００８３】
次に、端末１宛てのＰＤＣＣＨ信号のＣＣＥ連結数が閾値（８ＣＣＥ）より多い場合（つまり、ＣＣＥ連結数が１２，１６の場合）について説明する。
【００８４】
サーチスペース設定部１０３は、端末１宛てのＰＤＣＣＨ信号のＣＣＥ連結数が閾値（８ＣＣＥ）より多い場合には、設定方法１と同様、端末１に設定された複数の単位バンド（図６に示す単位バンド１および単位バンド２）に渡って、端末１のサーチスペースを設定する。
【００８５】
ただし、本設定方法におけるサーチスペース設定部１０３は、ＰＤＣＣＨ信号のＣＣＥ連結数が閾値より多い場合には、サーチスペースを構成するＣＣＥが、ＬＴＥで定義されるＣＣＥ連結数（つまり、１，２，４，８）単位で複数の単位バンドに分散されるようにサーチスペースを設定する。さらに、サーチスペース設定部１０３は、各単位バンド間でＣＣＥ数がほぼ均等になるようにサーチスペースを設定する。
【００８６】
例えば、ＣＣＥ連結数が１２個の場合（サーチスペースを構成するＣＣＥ数が１２個の場合）について説明する。端末に設定された単位バンド数が２個の場合には、その端末のサーチスペースは、図７に示すように、２つの単位バンドのうち一方の単位バンドの８ＣＣＥおよび他方の単位バンドの４ＣＣＥで構成される。つまり、サーチスペース設定部１０３は、１２ＣＣＥで構成されるサーチスペースを、ＬＴＥで定義されるＣＣＥ連結数単位（８ＣＣＥおよび４ＣＣＥ）で各単位バンドに分散して設定する。同様に、端末に設定された単位バンド数が３個の場合には、その端末のサーチスペースは、図７に示すように、各単位バンドの４ＣＣＥで構成される。同様に、端末に設定された単位バンド数が４個の場合には、その端末のサーチスペースは、図７に示すように、２つの単位バンドの４ＣＣＥおよび２つの単位バンドの２ＣＣＥで構成される。また、図７に示すように、端末に設定される単位バンド数が５の場合も同様である。
【００８７】
なお、図７に示すように、ＣＣＥ連結数が１６個の場合（サーチスペースを構成するＣＣＥ数が１６個の場合）についても同様である。
【００８８】
よって、図６では端末１宛てのＰＤＣＣＨ信号のＣＣＥ連結数が１２個であり、単位バンド数が２個であるので、サーチスペース設定部１０３は、端末１のサーチスペースとして、単位バンド１の８個のＣＣＥおよび単位バンド２の４個のＣＣＥを設定する。なお、サーチスペース設定部１０３は、図３と同様、端末２のサーチスペースとして、単位バンド１（端末２に設定された単位バンド）の６個のＣＣＥを設定する。
【００８９】
そして、図６に示すように、割当部１０６は、端末１宛てのＰＤＣＣＨ信号を、単位バンド１に設定された端末１のサーチスペース内の８個のＣＣＥ、および、単位バンド２に設定された端末１のサーチスペース内の４個のＣＣＥに分散させて割り当てる。また、図４に示すように、割当部１０６は、端末２宛てのＰＤＣＣＨ信号を、図３と同様、端末２のサーチスペース内の２個のＣＣＥに割り当てる。
【００９０】
図７に示すように、ＰＤＣＣＨ信号が複数の単位バンドに分散されて割り当てられる場
合でも、各単位バンドでＰＤＣＣＨ信号が割り当てられるＣＣＥの数は、ＬＴＥで定義されるＣＣＥ連結数（１，２，４，８）のいずれかとなる。これにより、各単位バンド（図６では単位バンド１および単位バンド２）では、ＬＴＥで定義されるサーチスペースと同じサーチスペースの定義を端末２００（ＬＴＥ＋端末）に対しても用いることができる。すなわち、基地局１００は、ＰＤＣＣＨ信号のＣＣＥ割当処理にＬＴＥと同一の方法を使用することができ、かつ、端末２００（ＬＴＥ＋端末）は、ＰＤＣＣＨ信号の受信処理にＬＴＥと同一の方法を使用することができる。
【００９１】
このようにして、本設定方法によれば、ＬＴＥ−Ａにおいて、同一の単位バンドにＬＴＥ端末とＬＴＥ＋端末とが収容される場合でも、双方の端末に対して同一のＣＣＥ割当処理および受信処理を適用することができる。よって、本設定方法によれば、設定方法１と同様の効果を得つつ、さらに簡易な基地局および端末が実現できる。
【００９２】
また、本設定方法によれば、ＰＤＣＣＨ信号が複数の単位バンドに分散されて割り当てられる場合、各単位バンドにおけるＰＤＣＣＨ信号のＣＣＥ連結数は、１，２（＝１×２），４（＝１×４または２×２），８（＝１×８、２×４または４×２）となり、互いに倍数の関係となる。よって、本設定方法によれば、複数の端末（ＬＴＥ端末およびＬＴＥ＋端末）宛ての、ＣＣＥ連結数の異なるＰＤＣＣＨ信号が同一単位バンドに割り当てられた場合でも、ＣＣＥ割当の結果として半端な余りのＣＣＥが発生することを避けることができ、下り回線のリソースを無駄なく使用することができる。
【００９３】
以上、サーチスペースの設定方法１および設定方法２のそれぞれにおけるサーチスペース設定処理および割当部１０６におけるＣＣＥ割当処理について説明した。
【００９４】
このようにして、本実施の形態によれば、端末の消費電力の増大を抑えつつ、ＣＣＥの割当を柔軟に行うことができる。
【００９５】
なお、本実施の形態では、ＰＤＣＣＨ信号のＣＣＥ連結数が１２および１６の場合、ＰＤＣＣＨ信号が割り当てられるＣＣＥの候補が１つの場合（つまり、サーチスペースを構成するＣＣＥ数が１２および１６の場合）について説明した。しかし、本発明では、ＣＣＥ割当の自由度をより増やすために、ＰＤＣＣＨ信号が割り当てられるＣＣＥの候補を２以上としてもよい。例えば、基地局は、ＰＤＣＣＨ信号が割り当てられるＣＣＥの候補をＮ（ただし、Ｎは正の整数）個とする場合には、各単位バンドにおけるサーチスペース内のＣＣＥ数（例えば、図５または図７）をＮ倍すればよい。ただし、各単位バンド内のＣＣＥ連結数が８以下となるようにサーチスペース内のＣＣＥ数が設定される。
【００９６】
（実施の形態２）
本実施の形態において、ＰＤＣＣＨ信号のＣＣＥ連結数が閾値以下の場合、ＰＤＣＣＨ信号が１つの単位バンドのＣＣＥのみに割り当てられる点は実施の形態１と同様である。これに対し、本実施の形態では、ＰＤＣＣＨ信号のＣＣＥ連結数が閾値以下の場合、複数の単位バンドにサーチスペースが設定される点が実施の形態１と相違する。
【００９７】
以下、具体的に説明する。なお、本実施の形態に係る基地局１００（図１）および端末２００（図２）は、実施の形態１と同様の構成であるが、サーチスペース設定部１０３、割当部１０６およびＰＤＣＣＨ受信部２０７の動作が異なる。
【００９８】
本実施の形態に係る基地局１００（図１）のサーチスペース設定部１０３は、ＬＴＥ＋端末宛てのＰＤＣＣＨ信号のＣＣＥ連結数がいずれの場合でも、そのＬＴＥ＋端末に設定された複数の単位バンドに渡ってサーチスペースを設定する。例えば、ＰＤＣＣＨ信号のＣＣＥ連結数が閾値以下の場合には、サーチスペース設定部１０３は、単位バンド当たり
Ｌ’（＝Ｌ／ＭＣＣ）個のＣＣＥによりサーチスペースを設定する。ただし、Ｌは、あるＣＣＥ連結数に対応するサーチスペースを構成するＣＣＥ数であり、ＭＣＣは、ＬＴＥ＋端末に設定された単位バンド数である。また、ＰＤＣＣＨ信号のＣＣＥ連結数が閾値より多い場合には、サーチスペース設定部１０３は、実施の形態１（設定方法１または設定方法２）と同様にして、サーチスペースを設定する。
【００９９】
割当部１０６には、端末２００から報告されるＣＱＩ情報が入力される（図示せず）。割当部１０６は、ＬＴＥ＋端末宛てのＰＤＣＣＨ信号のＣＣＥ連結数が閾値以下の場合、ＰＤＣＣＨ信号を、複数の単位バンドのうち、ＣＱＩ情報に示されるチャネル品質が最も良い１つの単位バンドに設定されたサーチスペース内のＣＣＥに割り当てる。一方、割当部１０６は、ＬＴＥ＋端末宛てのＰＤＣＣＨ信号のＣＣＥ連結数が閾値より多い場合、実施の形態１と同様、ＰＤＣＣＨ信号を、複数の単位バンドそれぞれに設定されたサーチスペース内のＣＣＥに分散させて割り当てる。
【０１００】
一方、端末２００（図２）のＰＤＣＣＨ受信部２０７は、自端末宛てのＰＤＣＣＨ信号のＣＣＥ連結数がいずれの場合でも、サーチスペース設定部１０３と同様にして、複数の単位バンドにそれぞれ設定された自端末のサーチスペースを算出する。そして、ＰＤＣＣＨ受信部２０７は、それぞれのＣＣＥ連結数について算出したサーチスペース内のＣＣＥに対してブラインド復号する。
【０１０１】
次に、本実施の形態のサーチスペース設定部１０３におけるサーチスペース設定処理、および、割当部１０６におけるＣＣＥ割当処理の詳細について説明する。
【０１０２】
以下の説明では、基地局１００の単位バンド設定部１０１（図１）は、実施の形態１（図３、図４または図６）と同様、図８Ａ〜Ｃに示すように、２つの下り単位バンド（単位バンド１および単位バンド２）を端末１（端末２００、すなわちＬＴＥ＋端末）に設定する。ここで、図８Ａ〜Ｃでは、図３、図４および図６に示す下り回線（ＰＤＣＣＨおよびＰＤＳＣＨ）のうち、ＰＤＣＣＨのみを示す。
【０１０３】
また、以下の説明では、各下り単位バンドに配置されるＰＤＣＣＨは、図８Ａ〜Ｃに示すように、１６個のＣＣＥで構成される。また、ここでは、ＰＤＣＣＨ信号のＣＣＥ連結数が１の場合（図８Ａ）、４の場合（図８Ｂ）および１２の場合（図８Ｃ）について説明する。また、ＣＣＥ連結数の閾値を、実施の形態１と同様、８ＣＣＥとする。また、図８Ａ（ＰＤＣＣＨ信号のＣＣＥ連結数：１）の場合、サーチスペースを構成するＣＣＥ数を６個（つまり、６候補）とし、図８Ｂ（ＰＤＣＣＨ信号のＣＣＥ連結数：４）の場合、サーチスペースを構成するＣＣＥ数を８個（つまり、２候補）とし、図８Ｃ（ＰＤＣＣＨ信号のＣＣＥ連結数：１２）の場合、サーチスペースを構成するＣＣＥ数を１２個（つまり、１候補）とする。また、図８Ａおよび図８Ｂでは、単位バンド１のチャネル品質の方が、単位バンド２のチャネル品質よりも良好である。
【０１０４】
まず、ＣＣＥ連結数が閾値以下の場合（図８Ａおよび図８Ｂ）について説明する。
【０１０５】
サーチスペース設定部１０３は、ＣＣＥ連結数が閾値（８ＣＣＥ）以下の場合（図８Ａおよび図８Ｂ）、単位バンド１および単位バンド２の２つの単位バンド（ＭＣＣ＝２）に渡って、サーチスペースを設定する。具体的には、ＣＣＥ連結数が１の場合（Ｌ＝６の場合）には、図８Ａに示すように、サーチスペース設定部１０３は、サーチスペースとして、単位バンド１および単位バンド２の双方で３（＝Ｌ’＝Ｌ／ＭＣＣ＝６／２）個のＣＣＥをそれぞれ設定する。同様に、ＣＣＥ連結数が４の場合（Ｌ＝８の場合）には、図８Ｂに示すように、サーチスペース設定部１０３は、サーチスペースとして、単位バンド１および単位バンド２の双方で４（＝Ｌ’＝８／２）個のＣＣＥをそれぞれ設定する。
【０１０６】
そして、割当部１０６は、ＰＤＣＣＨ信号を、単位バンド１および単位バンド２の２つの単位バンドにそれぞれ設定されたサーチスペースのうち、チャネル品質がより良い一方の単位バンドに設定されたサーチスペース内のＣＣＥに割り当てる。具体的には、割当部１０６は、ＣＣＥ連結数が１の場合には、図８Ａに示すように、ＰＤＣＣＨ信号を、チャネル品質がより良好である単位バンド１に設定された３ＣＣＥで構成されるサーチスペース内のいずれか１つのＣＣＥに割り当てる。同様に、割当部１０６は、ＣＣＥ連結数が４の場合には、図８Ｂに示すように、ＰＤＣＣＨ信号を、チャネル品質がより良好である単位バンド１に設定された４ＣＣＥで構成されるサーチスペース内の４つのＣＣＥに割り当てる。
【０１０７】
一方、ＣＣＥ連結数が閾値（８ＣＣＥ）より多い場合（図８Ｃ）には、サーチスペース設定部１０３は、例えば、実施の形態１の設定方法２（図７）と同様にして、単位バンド１および単位バンド２の２つの単位バンドに渡って、サーチスペースを設定する。具体的には、図８Ｃに示すように、サーチスペース設定部１０３は、サーチスペースとして、単位バンド１の８個のＣＣＥ、および、単位バンド２の４個のＣＣＥを設定する。そして、割当部１０６は、実施の形態１と同様にして、ＰＤＣＣＨ信号を、単位バンド１に設定されたサーチスペース内の８ＣＣＥ、および、単位バンド２に設定されたサーチスペース内の４ＣＣＥに分散させて割り当てる。
【０１０８】
図８Ａ〜図８Ｃに示すように、ＰＤＣＣＨ信号のＣＣＥ連結数がいずれの場合でも、サーチスペースは、複数の単位バンドに渡って設定される。ただし、ＰＤＣＣＨ信号のＣＣＥ連結数が閾値以下の場合（図８Ａおよび図８Ｂ）には、ＰＤＣＣＨ信号は、複数の単位バンドに渡って設定されたサーチスペースのうち、チャネル品質が最も良い単位バンドのサーチスペース内のＣＣＥに割り当てられる。これに対し、ＰＤＣＣＨ信号のＣＣＥ連結数が閾値より多い場合（図８Ｃ）には、ＰＤＣＣＨ信号は、実施の形態１と同様、複数の単位バンドにそれぞれ設定されたサーチスペース内のＣＣＥに分散して割り当てられる。
【０１０９】
これにより、ＰＤＣＣＨ信号のＣＣＥ連結数が閾値以下の場合（図８Ａおよび図８Ｂ）には、基地局１００は、ＰＤＣＣＨ信号を、複数の単位バンドのうちチャネル品質が最も良い単位バンドに割り当て可能、つまり、Ｌｏｃａｌｉｚｅｄ割当を行うことができる。特に、より少ないＣＣＥが割り当てられる端末は、セル中心付近に位置し、チャネル品質が良好であり、ＣＱＩの測定精度も高い端末である可能性が高い。そのため、基地局１００は、ＰＤＣＣＨ信号のＣＣＥ連結数が閾値以下である端末に対しては、ＰＤＣＣＨ信号を、ＣＱＩ情報に基づいてチャネル品質が最も良い１つの単位バンドに割り当てることにより、ＰＤＣＣＨ信号の送信効率をより向上させることができる。
【０１１０】
これに対して、ＰＤＣＣＨ信号のＣＣＥ連結数が閾値より多い場合（図８Ｃ）には、実施の形態１と同様、基地局１００は、ＰＤＣＣＨ信号を、複数の単位バンドに分散して割り当てる。このため、ＰＤＣＣＨ信号のＣＣＥ連結数が閾値よりも多く必要なＬＴＥ＋端末が、１つの単位バンドを占有してしまうことが無くなるため、各単位バンドでは、実施の形態１と同様、ＬＴＥ端末のＣＣＥ割当がブロックされる確率を低減することができる。特に、より多くのＣＣＥが割り当てられる端末は、セル境界付近に位置し、チャネル品質が劣悪であり、ＣＱＩの測定精度も低い端末である可能性が高い。そのため、基地局１００はＰＤＣＣＨ信号を複数の単位バンドに分散させて割り当てることにより、端末２００では周波数ダイバーシチ効果が得られ、基地局１００と端末２００との間のチャネル時間変動が小さくなる。そのため、端末２００宛てのＰＤＣＣＨ信号の誤り率特性を向上させることができる。
【０１１１】
このようにして、本実施の形態によれば、実施の形態１と同様、より多くのＣＣＥが割
り当てられた端末が存在する場合でも、基地局は、各単位バンドにおいて他の端末のＣＣＥ割当がブロックされる確率を低減し、複数の端末に対するＣＣＥ割当を柔軟に行うことができる。さらに、本実施の形態によれば、ＰＤＣＣＨ信号のＣＣＥ連結数が閾値以下の場合には、Ｌｏｃａｉｚｅｄ割当により、ＰＤＣＣＨ信号の送信効率をより向上させることができる。
【０１１２】
なお、本実施の形態において、複数の単位バンドのうち、サーチスペースが定義される単位バンドは、十分な周波数ダイバーシチ効果を得ることができる単位バンド数（例えば、２つの単位バンド）に限定してもよい。
【０１１３】
また、本実施の形態では、ＰＤＣＣＨ信号のＣＣＥ連結数が閾値以下の場合に各単位バンドに割り当てられるＣＣＥ数（各単位バンドにおけるＣＣＥ連結数）を、実施の形態１の設定方法２と同様にして、ＬＴＥで定義されるＣＣＥ連結数に限定してもよい。これにより、実施の形態１の設定方法２と同様の効果を得ることができる。
【０１１４】
以上、本発明の各実施の形態について説明した。
【０１１５】
なお、バンドアグリゲーション（Band aggregation）は、キャリアアグリゲーション（Carrier aggregation）と呼ばれることもある。また、バンドアグリゲーションは、連続する周波数帯域を連結する場合に限らず、非連続な周波数帯域を連結してもよい。
【０１１６】
また、本発明では、端末ＩＤとしてＣ−ＲＮＴＩ（Cell-Radio Network Temporary Identifier）を用いてもよい。
【０１１７】
また、本発明において、マスキング（スクランブリング）処理は、ビット間（すなわち、ＣＲＣビットと端末ＩＤ）の乗算でもよく、ビット同士を加算し、加算結果のｍｏｄ２（すなわち、加算結果を２で割ったときの余り）を算出してもよい。
【０１１８】
また、上記実施の形態では、単位バンドを、最大２０ＭＨｚの幅を持つ帯域であって、通信帯域の基本単位として定義する場合について説明した。しかし、単位バンドは、次のように定義されることもある。例えば、下り単位バンドは、基地局から報知されるＢＣＨ（Broadcast Channel）の中の下り周波数帯域情報によって区切られた帯域、または、ＰＤＣＣＨが周波数領域に分散配置される場合の分散幅によって定義される帯域として定義されることもある。また、上り単位バンドは、基地局から報知されるＢＣＨの中の上り周波数帯域情報によって区切られた帯域、または、中心付近にＰＵＳＣＨを含み、両端部にＰＵＣＣＨを含む２０ＭＨｚ以下の通信帯域の基本単位として定義されることもある。また、単位バンドは、ＬＴＥにおいて、単位キャリア（Component carrier(s)）、または、単位帯域と呼ばれることもある。
【０１１９】
また、上記実施の形態では、ＣＣＥ連結数に対する閾値として固定の値（上記実施の形態では、８ＣＣＥ）を用いる場合について説明した。しかし、本発明では、ＣＣＥ連結数に対する閾値は、固定の値に限らず、基地局から各端末に通知する値を用いてもよい。また、本発明では、ＣＣＥ連結数に対する閾値は、８ＣＣＥに限らず、８ＣＣＥ以外の値（例えば、４ＣＣＥ）でもよい。
【０１２０】
また、上記実施の形態では、基地局が、ＣＣＥ連結数に対する閾値に基づいて、ＰＤＣＣＨ信号を、１つの下り単位バンドで送信するか、複数の下り単位バンドに分散させて送信するかを判断する場合について説明した。しかし、本発明では、基地局は、ＣＣＥ連結数に限らず、例えば、制御情報のビット数または制御情報の種類に基づいて、ＰＤＣＣＨ信号を送信する下り単位バンド数を判断してもよい。例えば、基地局は、制御情報の種類
が複数の下り単位バンド向けの制御情報である場合には、ＰＤＣＣＨ信号を、複数の単位バンドに分散させて送信してもよい。また、例えば、複数の基地局から同一端末にデータを送信する協調送信に関する制御情報を通知するＰＤＣＣＨ信号は情報ビット数が多く、より多くのＣＣＥを要する。このため、基地局は、協調送信に関する制御情報を通知するＰＤＣＣＨ信号を、複数の単位バンドに分散させて送信してもよい。
【０１２１】
また、本発明では、主バンドとして設定される単位バンドは、システムで予め決められた単位バンド（例えば、ＳＣＨまたはＰ−ＢＣＨを送信する単位バンド）が設定されてもよく、セル毎に端末間で共通の単位バンドが設定されてもよく、端末毎に異なる単位バンドが設定されてもよい。
【０１２２】
また、主バンドはanchorバンド、anchorキャリア、マスターバンド、マスターキャリアと呼ばれることもある。
【０１２３】
また、上記実施の形態で説明したＣＣＥは論理的なリソースであり、ＣＣＥを実際の物理的な時間・周波数リソースへ配置する際には、ＣＣＥは単位バンド内の全帯域に渡って分散して配置される。また、論理的なリソースとしてのＣＣＥが単位バンド毎に分割されてさえいれば、実際の物理的な時間・周波数リソースへのＣＣＥの配置は、全システム帯域（つまり全単位バンド）に渡って分散した配置でもよい。
【０１２４】
また、上記実施の形態では、単位バンドの通信帯域幅を２０ＭＨｚとする場合について説明したが、単位バンドの通信帯域幅は２０ＭＨｚに限定されない。
【０１２５】
また、基地局が端末毎に設定する１つまたは複数の上り回線の単位バンドはUE UL component carrier setと呼ばれ、下り回線の単位バンドはUE DL component carrier setと呼ばれることもある。
【０１２６】
また、ＰＤＣＣＨで送信されるリソース割当情報はＤＣＩ（Downlink Control Information）と呼ばれることもある。
【０１２７】
また、上記実施の形態では、ＰＤＣＣＨをＣＣＥ連結数に応じて、１つの単位バンド内のサーチスペース内のＣＣＥ、または、複数の単位バンド内のサーチスペース内のＣＣＥに分散させて割り当てるようにした。しかし、単位バンド以外の任意の複数のリソース領域に対して、ＰＤＣＣＨをＣＣＥ連結数に応じて、１つのリソース領域内のＣＣＥ、または、複数のリソース領域内のＣＣＥに分散させて割り当てるようにしても同様の効果が得られる。例えば、１つの単位バンド内においてＬＴＥで定義されているサブフレーム先頭部分の制御チャネル領域（つまり、バックワードコンパチブルな制御チャネル領域）、および、ＬＴＥ−Ａ（またはＬＴＥ−Ａ以降のバージョンのシステム）で追加で定義される制御チャネル領域（つまり、バックワードコンパチブルでない制御チャネル領域）が考えられる。この場合、ＰＤＣＣＨをＣＣＥ連結数に応じて、バックワードコンパチブルな制御チャネル領域のＣＣＥに割り当てるか、バックワードコンパチブルな制御チャネル領域のＣＣＥとバックワードコンパチブルでない制御チャネル領域のＣＣＥとに分散させて割り当てるかを決めるようにしてもよい。または、別の例として、複数の基地局または中継局から同一端末へデータ伝送するＣｏＭＰ（Coordinated Multi Point）送信の場合等の複数の基地局（中継局）の制御チャネル領域が考えられる。この場合、ＰＤＣＣＨをＣＣＥ連結数に応じて、１つの基地局の制御チャネル領域のＣＣＥに割り当てるか、複数の基地局の制御チャネル領域のＣＣＥに分散させて割り当てるかを決めるようにしてもよい。制御チャネル送信に多くのＣＣＥリソースを必要とするセル境界付近の端末に対して空間ダイバーシチ効果を向上させることが可能である。一方、セル中心付近の端末に対しては１つのセルから少ないＣＣＥでＰＤＣＣＨ信号を送信するのでリソース消費量の低減とと
もに、複数の基地局間に渡る送信タイミング等の制御が不要であるので制御の簡素化が可能である。
【０１２８】
また、端末はＵＥ、基地局はNode BまたはBS（Base Station）と呼ばれることもある。また、端末ＩＤはＵＥ−ＩＤと呼ばれることもある。
【０１２９】
また、上記実施の形態では、本発明をハードウェアで構成する場合を例にとって説明したが、本発明はソフトウェアで実現することも可能である。
【０１３０】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１３１】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１３２】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１３３】
２００９年１月３０日出願の特願２００９−０１９７７４の日本出願に含まれる明細書、図面および要約書の開示内容は、すべて本願に援用される。
【産業上の利用可能性】
【０１３４】
本発明は、移動体通信システム等に適用することができる。
【図１】
0005441932.tif 000002
【図２】
0005441932.tif 000003
【図３】
0005441932.tif 000004
【図４】
0005441932.tif 000005
【図５】
0005441932.tif 000006
【図６】
0005441932.tif 000007
【図７】
0005441932.tif 000008
【図８Ａ】
0005441932.tif 000009
【図８Ｂ】
0005441932.tif 000010
【図８Ｃ】
0005441932.tif 000011